(57)【要約】【課題】複数の書類の関連性を、より高い精度で判定することができる光学情報読み取り装置を提供する。【解決手段】印影が複数の書類に分割されて表されることにより、書類ごとに分割された分割印影のうちの１つである第１分割印影の画像を、撮像画像から取得する第１印影取得部（Ｓ２８）と、複数の分割印影のうち、第１印影取得部が画像を取得した第１分割印影とは別の分割印影である第２分割印影の画像を、デコード部がデコードした情報コードに対応させて取得する第２印影取得部（Ｓ２８、Ｓ３０５、Ｓ３１０）と、第１印影取得部が取得した第１分割印影の画像と、第２印影取得部が取得した第２分割印影の画像とが、整合するかどうかを判定する印影判定部（Ｓ３０２、Ｓ３０３、Ｓ３０６〜Ｓ３０８、Ｓ３１１〜Ｓ３１３）とを備える。【選択図】図１
2015219646.tif 000002
【特許請求の範囲】
【請求項１】
複数の書類（Ｒ１、Ｒ２）にまたがって印影（２００）が表されており、かつ、前記複数の書類が互いに関連することを表す情報コード（１００Ｒ、１００Ｌ）が印刷されている前記複数の書類の関連性を判断する光学情報読み取り装置であって、
前記書類を撮像するための撮像部（２３）と、
前記撮像部が撮像した撮像画像に対して、前記情報コードをデコードするデコード処理を行うデコード部（Ｓ２２、Ｓ２５）と、
前記印影が前記複数の書類に分割されて表されることにより、書類ごとに分割された分割印影のうちの１つである第１分割印影の画像を、前記撮像画像から取得する第１印影取得部（Ｓ２８）と、
複数の前記分割印影のうち、前記第１印影取得部が画像を取得した第１分割印影とは別の分割印影である第２分割印影の画像を、前記デコード部がデコードした前記情報コードに対応させて取得する第２印影取得部（Ｓ２８、Ｓ３０５、Ｓ３１０）と、
前記第１印影取得部が取得した前記第１分割印影の画像と、前記第２印影取得部が取得した前記第２分割印影の画像とが、整合するかどうかを判定する印影判定部（Ｓ３０２、Ｓ３０３、Ｓ３０６〜Ｓ３０８、Ｓ３１１〜Ｓ３１３）とを備えることを特徴とする光学情報読み取り装置。
【請求項２】
請求項１において、
前記第２印影取得部は、前記デコード部がデコードした情報コードの位置に基づいて、前記撮像画像における前記第２分割印影の場所を特定して、前記撮像画像から、前記第２分割印影の画像を取得することを特徴とする光学情報読み取り装置。
【請求項３】
請求項２において、
前記情報コードは、前記複数の書類にそれぞれ印刷されている情報コードごとにデコードが可能であり、かつ、前記複数の書類のうちの他の書類に印刷されている情報コードを特定することができるコード特定データを格納しており、
前記デコード部がデコードした情報コードに格納されている前記コード特定データに基づいて、前記複数の情報コードが互いに関連しているかを判定するコード判定部（Ｓ３０１）を備えることを特徴とする光学情報読み取り装置。
【請求項４】
請求項３において、
前記第２印影取得部（Ｓ２８、Ｓ３０５）は、前記デコード部がデコードした情報コードの位置に基づいて、前記撮像画像における前記第２分割印影の場所を特定して、前記撮像画像から、前記第２分割印影の画像を取得するとともに、前記デコード部がデコードしたデータに含まれている前記コード特定データに基づいて、前記第２分割印影の画像を記憶している記憶部からも、前記第２分割印影の画像を取得し、
前記印影判定部（Ｓ３０３、Ｓ３０６〜Ｓ３０８）は、前記第１印影取得部が取得した前記第１分割印影の画像が、前記第２印影取得部が前記撮像画像から取得した前記第２分割印影の画像および前記記憶部から取得した前記第２分割印影の画像と整合するかをそれぞれ判定することを特徴とする光学情報読み取り装置。
【請求項５】
請求項２において、
前記情報コードは１つであり、その１つの情報コードが複数の書類にまたがって印刷されていることを特徴とする光学情報読み取り装置。
【請求項６】
請求項１において、
前記情報コードは、前記複数の書類にそれぞれ印刷されている情報コードごとにデコードが可能であり、かつ、前記複数の書類のうちの他の書類に印刷されている情報コードを特定することができるコード特定データを格納しており、
前記第２印影取得部（Ｓ３１０）は、前記デコード部がデコードしたデータに含まれている前記コード特定データに基づいて、前記第２分割印影の画像を記憶している記憶部から、前記第２分割印影の画像を取得することを特徴とする光学情報読み取り装置。
【請求項７】
請求項４または６において、
前記第１分割印影の画像を記憶している記憶部から、前記デコード部がデコードしたデータに含まれている前記コード特定データに基づいて、前記第１分割印影の画像を取得する照合用第１印影取得部（Ｓ３０５、Ｓ３１０）を備え、
前記印影判定部（Ｓ３０６〜Ｓ３０８、Ｓ３１１〜Ｓ３１３）は、前記照合用第１印影取得部が取得した前記第１分割印影の画像と、前記第１印影取得部が撮像画像から取得した第１分割印影の画像とが整合するかも判定することを特徴とする光学情報読み取り装置。
【請求項８】
請求項７において、
前記印影判定部（Ｓ３０８、Ｓ３１３）は、前記照合用第１印影取得部が取得した前記第１分割印影の画像の紙辺とは反対側からの一定部分と、前記第１印影取得部が撮像画像から取得した第１分割印影の紙辺とは反対側からの一定部分とが整合するかを判定することを特徴とする光学情報読み取り装置。
【請求項９】
請求項１〜８のいずれか１項において、
前記デコード部がデコードした情報にサイン取り込み識別子があるか否かを判断する識別子判断部（Ｓ２３）を備え、
前記第１印影取得部は、前記識別子判断部が前記サイン取り込み識別子があると判断したことに基づいて、前記撮像画像から前記第１分割印影の画像を取得することを特徴とする光学情報読み取り装置。
【請求項１０】
請求項１〜９のいずれか１項において、
前記情報コードは、特定の光を照射することで視認可能になる不可視インクで印刷されており、かつ、前記印影と重なる位置にあり、
前記光学情報読み取り装置は、
前記特定の光を照射する特定光源を備え、
前記デコード部は、前記特定光源を発光させた状態で前記撮像部が撮像した撮像画像を用いて前記デコード処理を行い、
前記第１印影取得部は、前記特定光源を消灯させた状態で前記撮像部が撮像した画像から、前記第１分割印影の画像を取得することを特徴とする光学情報読み取り装置。
【発明の詳細な説明】
【技術分野】
【０００１】
本発明は、複数の書類の関連性を確認することができる光学情報読み取り装置に関する。
【背景技術】
【０００２】
従来、２つの書類に対して、その２つの書類が同一である、あるいは関連することを証明するために、割印や契印を捺印している。割印や捺印により２つの書類の同一性や関連性を判断する場合、書類を跨いでいる印影の色、字体、印影の大きさ、文字の大きさなどが一致するかを人が判断している。
【０００３】
また、２つ以上の書類が関連していることを判定する技術として、例えば、特許文献１に開示される「システム、情報処理装置及び情報処理方法」がある。
【０００４】
特許文献１に開示の技術では、情報コードを分割してそれぞれの書類に印刷している。書類が関連しているかを判定する際には、複数の書類に分割して印刷された情報コードが一つの情報コードとなるように、それら複数の書類を合わせた後、情報コードが読取り可能か否かを判断する。情報コードが読み取り可能であれば、それらの書類は互いに関連していると判断している。
【先行技術文献】
【特許文献】
【０００５】
【特許文献１】特開２０１３−１４５４３８号公報
【発明の概要】
【発明が解決しようとする課題】
【０００６】
通常の情報コードはコピー機で簡単にコピーが可能であるため、上記特許文献１に開示されている方法は、コピー機でコピーしたものですら、偽物と判断することができない。
【０００７】
印影により、書類が本物であるかどうかを判断する古くから行われている方法は、人の目で印影の色などを判断しており、細かな違いを見つけることができる人も多い。したがって、情報コードにより書類の関連性を判断するだけよりは、書類の偽造を防止することができる。
【０００８】
しかし、割印や契印の印影は、その印影をつけるときに使用した印鑑と朱肉を使用し、印影の向きを同じように押印すれば、ほとんど本物と同じ印影をつけることができる。したがって、割印や契印だけよりも、より高い精度で書類の関連性の真偽を判断することができる装置が望まれる。
【０００９】
本発明は、上述した課題を解決するためになされたもので、その目的とするところは、複数の書類の関連性を、より高い精度で判定することができる光学情報読み取り装置を提供することにある。
【課題を解決するための手段】
【００１０】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１１】
その目的を達成するための本発明は、複数の書類（Ｒ１、Ｒ２）にまたがって印影（２００）が表されており、かつ、複数の書類が互いに関連することを表す情報コード（１００Ｒ、１００Ｌ）が印刷されている複数の書類の関連性を判断する光学情報読み取り装置であって、書類を撮像するための撮像部（２３）と、撮像部が撮像した撮像画像に対して、情報コードをデコードするデコード処理を行うデコード部（Ｓ２２、Ｓ２５）と、印影が複数の書類に分割されて表されることにより、書類ごとに分割された分割印影のうちの１つである第１分割印影の画像を、撮像画像から取得する第１印影取得部（Ｓ２８）と、複数の分割印影のうち、第１印影取得部が画像を取得した第１分割印影とは別の分割印影である第２分割印影の画像を、デコード部がデコードした情報コードに対応させて取得する第２印影取得部（Ｓ２８、Ｓ３０５、Ｓ３１０）と、第１印影取得部が取得した第１分割印影の画像と、第２印影取得部が取得した第２分割印影の画像とが、整合するかどうかを判定する印影判定部（Ｓ３０２、Ｓ３０３、Ｓ３０６〜Ｓ３０８、Ｓ３１１〜Ｓ３１３）とを備えることを特徴とする。
【００１２】
本発明によれば、印影判定部を備えており、複数の書類に分割して表された分割印影の画像である第１分割印影の画像と第２分割印影の画像が整合するかどうかを判定する。加えて、印影判定部が判定を行う分割印影の画像は、デコード部がデコードした情報コードに対応させて取得したものであるため、情報コードの対応も確認していることになる。すなわち、本発明によれば、情報コードが対応していることの確認と、分割印影の整合とを判定していることになるので、従来よりも、高い精度で複数の書類の関連性を判定することができる。
【００１３】
請求項２記載の発明では、第２印影取得部は、デコード部がデコードした情報コードの位置に基づいて、撮像画像における第２分割印影の場所を特定して、撮像画像から、第２分割印影の画像を取得する。
【００１４】
この発明では、第２分割印影の画像も撮像画像から取得する。したがって、分割印影と情報コードが表されている複数の書類を撮像して、それら複数の書類の関連性を判定することができる。
【００１５】
請求項３記載の発明では、情報コードは、複数の書類にそれぞれ印刷されている情報コードごとにデコードが可能であり、かつ、複数の書類のうちの他の書類に印刷されている情報コードを特定することができるコード特定データを格納しており、デコード部がデコードした情報コードに格納されているコード特定データに基づいて、複数の情報コードが互いに関連しているかを判定するコード判定部（Ｓ３０１）を備える。
【００１６】
本発明によれば、印影判定部による印影の判定に加えて、コード判定部により、情報コードが互いに関連しているかも判定するので、複数の書類の関連性を判定する精度がさらに向上する。
【００１７】
請求項４記載の発明では、第２印影取得部（Ｓ２８、Ｓ３０５）は、デコード部がデコードした情報コードの位置に基づいて、撮像画像における第２分割印影の場所を特定して、撮像画像から、第２分割印影の画像を取得するとともに、デコード部がデコードしたデータに含まれているコード特定データに基づいて、第２分割印影の画像を記憶している記憶部からも、第２分割印影の画像を取得し、印影判定部（Ｓ３０３、Ｓ３０６〜Ｓ３０８）は、第１印影取得部が取得した第１分割印影の画像が、第２印影取得部が撮像画像から取得した第２分割印影の画像および記憶部から取得した第２分割印影の画像と整合するかをそれぞれ判定する。
【００１８】
このようにすれば、印影判定部は、第１分割印影が、２つの第２分割印影と整合するかをそれぞれ判定することから、複数の書類の関連性を判定する精度がさらに向上する。
【００１９】
請求項５記載の発明では、情報コードは１つであり、その１つの情報コードが複数の書類にまたがって印刷されている。
【００２０】
この場合には、複数の書類にまたがっている１つの情報コードが、１つの情報コードとして一体になるように、複数の書類を隣り合わせた状態でデコードを行うことになる。
【００２１】
請求項６記載の発明は、情報コードは、複数の書類にそれぞれ印刷されている情報コードごとにデコードが可能であり、かつ、複数の書類のうちの他の書類に印刷されている情報コードを特定することができるコード特定データを格納しており、第２印影取得部（Ｓ３１０）は、デコード部がデコードしたデータに含まれているコード特定データに基づいて、第２分割印影の画像を記憶している記憶部から、第２分割印影の画像を取得することを特徴とする。
【００２２】
この発明では、第２分割印影の画像を、その第２分割印影の画像を記憶している記憶部から取得する。したがって、第２分割印影が印刷された書類がなくても、第１分割印影の画像が印刷された書類と、第２分割印影が印刷された書類との関連性を判定することができる。
【００２３】
請求項７記載の発明は、第１分割印影の画像を記憶している記憶部から、デコード部がデコードしたデータに含まれているコード特定データに基づいて、第１分割印影の画像を取得する照合用第１印影取得部（Ｓ３０５、Ｓ３１０）を備え、印影判定部（Ｓ３０６〜Ｓ３０８、Ｓ３１１〜Ｓ３１３）は、照合用第１印影取得部が取得した第１分割印影の画像と、第１印影取得部が撮像画像から取得した第１分割印影の画像とが整合するかも判定する。
【００２４】
この発明では、記憶部に記憶している第１分割印影の画像と、撮像画像から取得した第１分割印影の画像とが整合するかについても判定するので、第１分割印影が表された書類が、偽造ではないことを高い信頼性で判定することができる。
【００２５】
請求項８記載の発明は、印影判定部（Ｓ３０８、Ｓ３１３）は、照合用第１印影取得部が取得した第１分割印影の画像の紙辺とは反対側からの一定部分と、第１印影取得部が撮像画像から取得した第１分割印影の紙辺とは反対側からの一定部分とが整合するかを判定する。
【００２６】
この発明では、印影判定部は、第１分割印影の一部分のみを照合に用いる。書類は紙製であり、辺に近い部分は破損する可能性もあるが、このようにすれば、辺に近い部分が破損していても、撮像画像から取得した第１分割印影の画像と、記憶部から取得した第１分割印影の画像とが整合しているかを、精度よく判定することができる。
【００２７】
請求項９記載の発明は、デコード部がデコードした情報にサイン取り込み識別子があるか否かを判断する識別子判断部（Ｓ２３）を備え、第１印影取得部は、識別子判断部がサイン取り込み識別子があると判断したことに基づいて、撮像画像から第１分割印影の画像を取得する。
【００２８】
このようにすれば、情報コードにサイン取り込み識別子がないときは、第１分割印影の画像を取得する処理を行わないので、印影の判定が必要ないときにまで、第１分割印影の画像を取得するための処理を行ってしまうことを防止できる。
【００２９】
請求項１０記載の発明は、情報コードは、特定の光を照射することで視認可能になる不可視インクで印刷されており、かつ、印影と重なる位置にあり、光学情報読み取り装置は、特定の光を照射する特定光源を備え、デコード部は、特定光源を発光させた状態で撮像部が撮像した撮像画像を用いてデコード処理を行い、第１印影取得部は、特定光源を消灯させた状態で撮像部が撮像した画像から、第１分割印影の画像を取得する。
【００３０】
このようにすれば、第１分割印影の画像を取得するための撮像画像には、情報コードが撮像されていないので、情報コードにより第１分割印影が分かりにくくなってしまうことが抑制できる。
【００３１】
しかも、情報コードは、印影と重なる位置に印刷されていることから、特定光源を照射していない状態でも、情報コードがどこに印刷されているかが分かりやすい。そのため、情報コードが撮像部の撮像範囲に入るように撮像部の撮像範囲を調整することも容易になる。
【図面の簡単な説明】
【００３２】
【図１】実施形態の光学情報読み取り装置１０の機械的構成を示す図である。
【図２】照合する書類Ｒ１、Ｒ２を概念的に示す図である。
【図３】ＱＲコード１００Ｒ、１００Ｌのデータ構造を説明する図である。
【図４】印影画像を登録する登録処理を示すフローチャートである。
【図５】印影画像を照合する照合処理を示すフローチャートである。
【図６】図５のステップＳ３０の処理を詳しく示すフローチャートである。
【発明を実施するための形態】
【００３３】
以下、本発明の実施形態を図面に基づいて説明する。図１は、本発明の実施形態となる光学情報読み取り装置１０の機械的構成を示すブロック図である。なお、外見は省略しているが、この光学情報読み取り装置１０は携帯型である。
【００３４】
本実施形態では、情報コードとして、書類Ｒ１、Ｒ２にまたがって印刷されたＱＲコード１００（ＱＲコードは登録商標）を読み取る（図２参照）。ＱＲコード１００については、詳しくは、図２を用いて後述するが、本実施形態のＱＲコード１００は、紫外線が照射されると白色に近い可視光を発する不可視インクにより書類Ｒ１、Ｒ２に印刷されている。
【００３５】
また、書類Ｒ、Ｒ２には、朱インクにより印影２００も示されている。光学情報読み取り装置１０は、これらＱＲコード１００の読み取りと、印影２００の照合とを行うことで、書類Ｒ１、Ｒ２が互いに関連しているかどうかを判定する。
【００３６】
＜機械的構成の説明＞
図１に示している機械的構成は、発光ダイオード２１の構成を除き、従来周知の二次元コード読み取り装置と同じである。回路部２０は、図示しないハウジング内に収容されている。この回路部２０は、主に、光学系とコンピュータ系と電源系とから構成されている。光学系は、マーカ光投射器６０、発光ダイオード２１、エリアセンサ２３、結像レンズ２７等から構成されている。
【００３７】
発光ダイオード２１は、ハウジング本体の読取口（図示せず）を介して書類Ｒ１、Ｒ２に向けて照明光Ｌｆを照射可能に構成されている。発光ダイオード２１は、発光色の異なる複数個が備えられている。本実施形態では、発光ダイオード２１として、赤色光を発光するものと、紫外光を発光するものと、白色を発光するものの３種類を備える。紫外光が請求項の特定の光に相当し、紫外光を発光する発光ダイオード２１が請求項の特定光源に相当する。
【００３８】
請求項の撮像部に相当するエリアセンサ２３は、書類Ｒ１、Ｒ２に照射されて反射した反射光Ｌｒを受光可能に構成される。例えば、Ｃ−ＭＯＳやＣＣＤ等の固体撮像素子である受光素子を数１０万から数１００万個オーダでｍ行ｎ列の２次元に配列して構成されている。受光素子は、受光した光を電気信号に変換して出力する。
【００３９】
このエリアセンサ２３の受光面２３ａは、ハウジング本体外から上述の読取口を介して外観可能に位置しており、エリアセンサ２３は、結像レンズ２７を介して入射する入射光をこの受光面２３ａで受光可能に配置されている。
【００４０】
結像レンズ２７は、外部から読取口を介して入射する入射光を集光してエリアセンサ２３の受光面２３ａに像を結像可能な結像光学系として機能するもので、例えば、鏡筒とこの鏡筒内に収容される複数の集光レンズとにより構成されている。発光ダイオード２１から照射された照明光ＬｆがＱＲコード１００に反射して読取口に入射する反射光Ｌｒは、結像レンズ２７により集光され、これにより、エリアセンサ２３の受光面２３ａにコード像が結像する。マーカ光投射器６０は、ＱＲコード１００の読み取り範囲を示すマーカ光Ｍを書類Ｒ１、Ｒ２に投射する。
【００４１】
次に、コンピュータ系の構成概要を説明する。コンピュータ系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示器４６、無線通信部４７、通信インタフェース４８等から構成されている。このコンピュータ系は、前述した光学系によって撮像されたコード像の画像信号をハードウェア的およびソフトウェア的に信号処理し得るものである。また制御回路４０は、光学情報読み取り装置１０の全体システムに関する制御も行っている。
【００４２】
光学系のエリアセンサ２３から出力される画像信号（アナログ信号）は、増幅回路３１に入力されて所定ゲインで増幅された後、Ａ／Ｄ変換回路３３に入力されて、アナログ信号からディジタル信号に変換される。そして、ディジタル化された画像信号、つまり画像データは、メモリ３５に入力されて蓄積される。なお、同期信号発生回路３８は、エリアセンサ２３およびアドレス発生回路３６に対する同期信号を発生可能に構成されている。また、アドレス発生回路３６は、この同期信号発生回路３８から供給される同期信号に基づいて、メモリ３５に格納される画像データの格納アドレスを発生可能に構成されている。
【００４３】
メモリ３５は、半導体メモリ装置で、例えばＲＡＭ（ＤＲＡＭ、ＳＲＡＭ等）やＲＯＭがこれに相当する。ＲＯＭには、画像処理プログラムの他、マーカ光投射器６０、発光ダイオード２１、エリアセンサ２３等の各ハードウェアを制御可能なシステムプログラム等が予め格納されている。
【００４４】
また、本実施形態の光学情報読み取り装置１０は、ＳＱＲＣ（登録商標）として知られる秘匿データを持ったＱＲコードを読み取ることができる装置である。ＳＱＲＣを読み取るためには暗号キー必要である。メモリ３５には、この暗号キーも記憶されている。
【００４５】
無線通信部４７は近距離無線通信を行う。近距離無線通信はたとえば無線ＬＡＮである。本実施形態では、無線通信部４７は、ホストコンピュータ３００が備える無線通信部３１０との間で通信を行う。
【００４６】
制御回路４０は、光学情報読み取り装置１０全体を制御可能なコンピュータで、ＣＰＵ、システムバス、入出力インタフェース等からなる。この制御回路４０は、内蔵された入出力インタフェースを介して種々の入出力装置（周辺装置）と接続可能に構成されている。また、電源スイッチ４１、操作スイッチ４２、ＬＥＤ４３、ブザー４４、液晶表示器４６、無線通信部４７、通信インタフェース４８、マーカ光投射器６０等が接続されている。
【００４７】
この制御回路４０は、例えば、ＱＲコードのデコード処理、印影画像の照合処理を行う。その他にも、電源スイッチ４１や操作スイッチ４２の監視や管理、ＬＥＤ４３の点消灯、ビープ音やアラーム音を発生可能なブザー４４の鳴動のオンオフ、液晶表示器４６の画面制御、通信インタフェース４８の通信制御、マーカ光投射器６０からのマーカ光Ｍの投射制御等を行う。
【００４８】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。
【００４９】
ホストコンピュータ３００は、無線通信部３１０、記憶部３２０や、図示しないＣＰＵ、通信インタフェースなどを備える。無線通信部３１０は、光学情報読み取り装置１０の無線通信部４７との間で無線通信が可能である。
【００５０】
＜ＱＲコードの説明＞
本実施形態で用いるＱＲコード１００を図２に例示している。図２に例示しているＱＲコード１００は、２つの書類Ｒ１、Ｒ２にまたがって印刷されており、書類Ｒ１、Ｒ２が接している状態で、ＱＲコード１００は、外見上、１つのコードに見える。
【００５１】
しかし、このＱＲコード１００は、一連のデータを分割して格納している長方形型の分割コードである。すなわち、ＱＲコード１００は、右側の分割ＱＲコード１００Ｒと、左側の分割ＱＲコード１００Ｌとで、別々に読み取りができる。また、右側の分割ＱＲコード１００Ｒと左側の分割ＱＲコード１００Ｌとを読み取ると、それぞれの分割ＱＲコード１００Ｒ、１００Ｌに格納されたデータが連結されて出力される。さらに、右側の分割ＱＲコード１００Ｒ、左側の分割ＱＲコード１００Ｌともに、ＳＱＲＣである。
【００５２】
図２に示す例では、印影２００が、ＱＲコード１００に重畳して押印されている。ただし、前述したように、本実施形態では、ＱＲコード１００は、紫外光が照射されると可視光を発する不可視インクで印刷されているため、紫外光を照射していない状態では、印影２００にＱＲコード１００が重なっているようには見えない。
【００５３】
ＱＲコード１００に重畳して押印されている印影２００も、２つの書類にまたがっている。ここでは、右側の書類Ｒ２に表されている印影を分割印影２００Ｒ、左側の書類Ｒ１に表されている印影を分割印影２００Ｌとする。印影２００は、２つの書類Ｒ１、Ｒ２を、互いの１辺が接している状態で図示しない印を押印することで、２つの書類Ｒ１、Ｒ２にまたがって表される。
【００５４】
図３に、右側の分割ＱＲコード１００Ｒ、左側の分割ＱＲコード１００Ｌのデータ構造を示す。各分割ＱＲコード１００Ｒ、１００Ｌには、公開データ部ｄ１０、終端識別子ｄ２０、非公開データ部ｄ３０が、この順番で格納されている。
【００５５】
公開データ部ｄ１０には、請求項のサイン取り込み識別子に相当するサイン取り込みインジケータｄ１１が含まれている。このサイン取り込みインジケータｄ１１は、ＱＲコード１００と重なっている印影２００の画像を取り込む処理を行う必要があることを示すデータである。また、このサイン取り込みインジケータｄ１１は、この分割ＱＲコード１００Ｒ、１００ＬがＳＱＲＣであり、終端識別子ｄ２０の後に非公開データ部ｄ３０があることを示すインジケータにもなっている。
【００５６】
終端識別子ｄ２０は、公開データの終端を示している。暗号キーを記憶していないために、ＳＱＲＣをデコードすることができない読み取り装置の場合には、終端識別子ｄ２０までしか分割ＱＲコード１００Ｒ、１００Ｌをデコードすることができない。
【００５７】
非公開データ部ｄ３０は、暗号化されており、デコードするには、前述した暗号キーが必要となる。非公開データ部ｄ３０には、請求項のコード特定データに相当する関連付けデータｄ３１が含まれている。
【００５８】
関連付けデータｄ３１は、連結すべき他の分割ＱＲコード１００Ｌ、１００Ｒを特定することができるデータである。たとえば、関連付けデータｄ３１には、印刷時点、あるいは、分割ＱＲコード１００Ｒ、１００Ｌに共通のコード識別番号が含まれる。この関連付けデータは、連結すべき他の分割ＱＲコード１００Ｌ、１００Ｒを特定することができると同時に、自身の分割ＱＲコード１００Ｒ、１００Ｌも特定することができる。また、この関連付けデータｄ３１に関連付けて分割印影２００Ｒ、２００Ｌを登録しておけば、分割印影２００Ｒ、２００Ｌを特定することもできる。
【００５９】
また、分割ＱＲコード１００Ｒ、１００Ｌが分割コードであるので、関連付けデータｄ３１には、デコードした分割ＱＲコード１００Ｒ、１００Ｌが全データのうちの何番目のデータを格納しているかを示す番号データも含まれている。
【００６０】
＜登録処理＞
本実施形態では、ＱＲコード１００Ｒ、１００Ｌに格納されている関連付けデータｄ３１および分割印影２００Ｒ、２００Ｌの画像（以下、分割印影画像）を、互いに関連付けてホストコンピュータ３００の記憶部３２０に登録しておく。ホストコンピュータ３００の記憶部３２０には、互いに関連する複数の書類を１セットとし、複数セットに対して登録処理が行われることにより、複数セットについて、関連付けデータｄ３１と分割印影画像とが記憶されている。そして、書類Ｒ１、Ｒ２の関連性を判定する際には、光学情報読み取り装置１０がデコードした関連付けデータｄ３１に基づいて、記憶部３２０に記憶されている複数のセットから１セットが特定される。そして、特定されたセットの分割印影画像と、光学情報読み取り装置１０が撮像した分割印影画像とが照合されることになる。
【００６１】
ここでは、関連付けデータｄ３１と分割印影画像とを登録する際の制御回路４０の処理を、図４を用いて説明する。この図４の処理は、ユーザにより操作スイッチ４２が操作されて、予め決められている登録指示操作が行われた場合に実行する。
【００６２】
この登録処理は、書類Ｒ１と書類Ｒ２とを別々に撮像して行う。後に詳述するが、書類Ｒ１、書類Ｒ２いずれかのみでも、その書類Ｒ１、Ｒ２の真偽を判定できるようにするためである。ただし、各書類Ｒ１、Ｒ２に示されている分割ＱＲコード１００Ｒ、１００Ｌと、分割印影２００Ｒ、２００Ｌとを対応させることができれば、図２に示すように、２つの書類Ｒ１、Ｒ２が接して、印影２００が一体になっている状態で、登録処理を行ってもよい。
【００６３】
ステップＳ１では、画像データを取得してメモリ３５に保存する。詳しくは、所定の読み取り開始操作がユーザにより行われると、制御回路４０は、マーカ光投射器６０からマーカ光Ｍを照射するとともに、紫外光を発光する発光ダイオード２１を発光させる。この紫外光により、ユーザにもＱＲコード１００が見えるようになる。マーカ光Ｍは画像取り込み範囲の目安となるものであり、ユーザは、マーカ光ＭがＱＲコード１００の上またはＱＲコード１００の付近にくるように、光学情報読み取り装置１０の位置および向きを調整する。
【００６４】
光学情報読み取り装置１０の位置および向きを調整したら、図示しない撮像ボタンを操作する。撮像ボタンが操作されたことを検知すると、制御回路４０はマーカ光Ｍを消灯させ、代わりに、赤色光を発光する発光ダイオード２１を発光させる。これにより、朱インクで示されている分割印影２００Ｒ、２００Ｌはほとんど見えなくなる一方で、白色に近い色を発する分割ＱＲコード１００Ｒ、１００Ｌは、良好に視認できる。この状態で、エリアセンサ２３に画像を撮像させ、エリアセンサ２３から画像データを取得する。
【００６５】
ステップＳ２では、ステップＳ１で取得した画像データに対して公知のデコード処理アルゴリズムを実行して、公開データ部ｄ１０を復号する。
【００６６】
ステップＳ３では、ステップＳ２で復号したデータに、サイン取り込みインジケータｄ１１が含まれているか否かを判断する。この判断がＮＯであればステップＳ１１に進む。ステップＳ１１の処理は後述する。ステップＳ３の判断がＹＥＳであればステップＳ４に進む。
【００６７】
ステップＳ４では、光学情報読み取り装置１０が暗号キーを記憶しているか否かを判断する。暗号キーを記憶していない場合（Ｓ４：ＮＯ）にはステップＳ１１に進み、暗号キーを記憶している場合には（Ｓ４：ＹＥＳ）、ステップＳ５に進む。
【００６８】
ステップＳ５では、暗号キーを用いて、非公開データ部ｄ３０を復号する。続くステップＳ６では、印影撮像用の照明パターンに切り替える。印影撮像用の照明パターンは、白色光を発光する発光ダイオード２１を発光させ、赤色光を発光する発光ダイオード２１、紫外光を発光する発光ダイオード２１は消灯させるパターンである。
【００６９】
ステップＳ７では、印影撮像用の照明パターンを継続したまま、エリアセンサ２３に画像を撮像させ、そのエリアセンサ２３から画像データを取得する。画像データを取得した後は、白色光を発光する発光ダイオード２１も消灯させる。
【００７０】
印影撮像用の照明パターンでは、紫外光を発光する発光ダイオード２１は消灯していることから、不可視インクで印刷された分割ＱＲコード１００Ｒ、１００Ｌは撮像されない。また、赤色光を発光する発光ダイオード２１も消灯しており、白色光を発光する発光ダイオード２１が発光していることから、朱インクで示されている分割印影２００Ｒ、２００Ｌは明瞭に撮像されている。
【００７１】
ステップＳ８では、ステップＳ７で取得した画像データから、分割印影画像の部分を抽出し、抽出した分割印影画像をメモリ３５に保存する。分割印影画像の部分がどの範囲であるかを決定する手法は、種々の手法を用いることができる。
【００７２】
たとえば、大津の二値化法などにより画像を二値化して、分割印影２００Ｒ、２００Ｌの範囲を決める手法がある。他にも、撮像画像から、予め設定された範囲を印影画像として抽出してもよい。本実施形態では、ＱＲコード１００に印影２００が重畳しており、マーカ光Ｍが照射されているときに、撮像範囲の中心付近にＱＲコード１００がくるように、撮像範囲が調整されている可能性が高い。したがって、撮像画像から、予め設定された範囲を分割印影画像として抽出しても、精度よく分割印影画像を抽出することができるのである。
【００７３】
続くステップＳ９では、全ての分割ＱＲコード１００Ｒ、１００Ｌに対する処理が終了したか否かを判断する。この判断は、非公開データ部ｄ３０に含まれている番号データに基づいて行う。書類Ｒ１と書類Ｒ２とが接している状態で登録処理が行われているのであれば、初回のステップＳ９の実行において、ＹＥＳの判断になる。しかし、書類Ｒ１と書類Ｒ２とを別々に撮像する場合には、初回のステップＳ９の判断結果はＮＯになる。ステップＳ９の判断結果がＮＯである場合には、ステップＳ１に戻る。一方、判断結果がＹＥＳの場合にはステップＳ１０に進む。
【００７４】
ステップＳ１０では、ステップＳ５で復号した非公開データ部ｄ３０に含まれている関連付けデータｄ３１と、ステップＳ８で保存した分割印影画像とを、無線通信部４７からホストコンピュータ３００に送信する。一度の画像データの取得で、ステップＳ９がＹＥＳになった場合には、複数の関連付けデータｄ３１にどの分割印影画像が対応するかも示して、関連付けデータｄ３１と分割印影画像を送信する。関連付けデータｄ３１と分割印影画像との対応は、分割ＱＲコード１００Ｒ、１００Ｌの位置と、分割印影２００Ｒ、２００Ｌの位置とから決定する。なお、通信インタフェース４８を介して有線によりホストコンピュータ３００と接続してデータ送信してもよい。
【００７５】
ホストコンピュータ３００は、光学情報読み取り装置１０から送信されてきた関連付けデータｄ３１と分割印影画像とを対応づけて、記憶部３２０に記憶する。
【００７６】
ステップＳ１１では、メモリ３５に保存していた画像データや復号したデータを消去する。
【００７７】
＜照合処理＞
次に、照合処理を説明する。照合処理時は、図５に示す処理を実行する。この図５の処理は、ユーザにより操作スイッチ４２が操作されて、予め決められている照合指示操作が行われた場合に実行する。
【００７８】
ステップＳ２１〜ステップＳ２８の処理は、図４のステップＳ１〜Ｓ８と同じである。従って、ステップＳ２１〜Ｓ２８の処理により、光学情報読み取り装置１０の撮像範囲にＱＲコード１００が入っていれば、公開データ部ｄ１０の復号（Ｓ２２）、サイン取り込みインジケータｄ１１の有無の判断（Ｓ２３）、非公開データ部ｄ３０の復号（Ｓ２５）を行う。また、分割印影２００Ｒ、２００Ｌの画像も取得できる（Ｓ２８）。２つの分割印影２００Ｒ、２００Ｌの画像が取得できる場合、いずれか一方の画像が、請求項の第１分割印影の画像に相当し、他方の画像が請求項の第２分割印影画像に相当し、ステップＳ２８は、請求項の第１印影取得部、および、第２印影取得部に相当する。また、ステップＳ２２、Ｓ２５は請求項のデコード部に相当し、ステップＳ２３は識別子判断部に相当する。
【００７９】
なお、本実施形態のＱＲコード１００は分割コードであり、分割コードは全部の分割コードの読み取りが終了しないと、ユーザには読み取り結果を表示しない。しかし、装置自体は、各分割コードに格納されたデータを連結するために、分割コードごとにデコードを行っている。
【００８０】
したがって、一方の分割ＱＲコード１００Ｒ、１００Ｌのみでも、公開データ部ｄ１０の復号（Ｓ２２）、サイン取り込みインジケータｄ１１の有無の判断（Ｓ２３）、非公開データ部ｄ３０の復号（Ｓ２５）、分割印影画像の抽出、保存（Ｓ２８）などを実行する。この場合には、ステップＳ２８は、請求項の第１印影取得部のみに相当し、ステップＳ２８で取得した分割印影画像が第１印影の画像に相当する。
【００８１】
ステップＳ２９では、撮像画像内に含まれている全ての分割コードに対して、ステップＳ２２〜Ｓ２８の処理を完了したか否かを判断する。この判断においては、ステップＳ２１で取得した画像データを、たとえば二値化処理などにより解析して、撮像画像のどの範囲にコードが表されているかを決定する。そして、決定した範囲の全てに対して、ステップＳ２２〜Ｓ２８の処理を実行した場合には、ステップＳ２９の判断がＹＥＳになる。ステップＳ２９の判断がＮＯであればステップＳ２２に戻る。
【００８２】
ステップＳ２２に戻った場合には、撮像画像内においてコードが表されている範囲であると決定した範囲のうち、ステップＳ２２以下を実行していない範囲に対して、ステップＳ２２以下を実行する。
【００８３】
一方、ステップＳ２９の判断がＹＥＳであればステップＳ３０に進む。なお、撮像画像内に一部の分割コードしか含まれていない場合にも、撮像画像内に含まれている分割コードについてステップＳ２２〜Ｓ２８の処理が完了していれば、ステップＳ２９の判断はＹＥＳになる。
【００８４】
ステップＳ３０では、書類Ｒ１、Ｒ２の関連性を判定する判定処理を実行する。この判定処理の内容は図６に詳しく示している。
【００８５】
図６を用いて判定処理の内容を説明する。請求項のコード判定部に相当するステップＳ３０１では、デコードしたデータが連結できたか否かを判断する。撮像画像内に全ての分割ＱＲコード１００Ｒ、１００Ｌが含まれており、それら分割ＱＲコード１００Ｒ、１００Ｌがともにデコードできていれば、ステップＳ３０１の判断がＹＥＳになる。これに対して、撮像画像内には  一方の分割ＱＲコード１００Ｒ、１００Ｌしか含まれていない場合には、ステップＳ３０１の判断がＮＯになる。ステップＳ３０１の判断がＹＥＳであればステップＳ３０２に進む。
【００８６】
ステップＳ３０２に進んだ場合、２つの分割ＱＲコード１００Ｒ、１００Ｌがあるだけでなく、２つの分割ＱＲコード１００Ｒ、１００Ｌに対応した分割印影画像をメモリ３５に記憶しているはずである。ステップＳ３０２では、これら２つの分割印影画像を対比する。対比は、具体的には、分割印影画像に含まれている分割印影の色、字体、文字の大きさ、分割印影それ自体の大きさなど予め設定されている項目が互いに一致するかを判定する。
【００８７】
ステップＳ３０３では、ステップＳ３０２での対比の結果に基づいて、２つの分割印影２００Ｒ、２００Ｌが整合するか否かを判断する。この判断の結果がＮＯであればステップＳ３０４に進み、判定結果は×であるとする。２つの分割印影２００Ｒ、２００Ｌが整合すると判断した場合（Ｓ３０３：ＹＥＳ）には、ステップＳ３０５に進む。
【００８８】
ステップＳ３０５では、登録済みの分割印影画像を取得する。詳しくは、印影画像取得要求信号を、図５のステップＳ２５で復号した非公開データ部ｄ３０に含まれている関連付けデータｄ３１とともに、ホストコンピュータ３００に送信する。なお、ステップＳ３０５を実行するのは、２つの復号データが連結できた場合であるので、２つの関連付けデータｄ３１を取得できている。これら２つの関連付けデータｄ３１を両方とも、ホストコンピュータ３００に送信する。
【００８９】
ホストコンピュータ３００の記憶部３２０には、関連付けデータｄ３１と分割印影画像とが対応づけて記憶されている。したがって、印影画像取得要求信号と関連付けデータｄ３１が光学情報読み取り装置１０から送信されることにより、光学情報読み取り装置１０に送信すべき２つの分割印影画像を特定することができる。ホストコンピュータ３００は、特定した２つの分割印影画像を光学情報読み取り装置１０に送信する。光学情報読み取り装置１０はホストコンピュータ３００から送信された２つの分割印影画像を取得する。この２つの分割印影画像は、次に説明するように２種類の照合に用いられ、ステップＳ３０５は、請求項の第２印影取得部、照合用第１印影取得部に相当する。
【００９０】
ステップＳ３０６では、ステップＳ３０５で取得した２つの分割印影画像と、ステップＳ２８で保存した２つの分割印影画像とを用いた照合を行う。ここで行う照合は、他の分割印影との照合すなわち左右の分割印影の照合と、左の分割印影同士、右の分割印影同士の照合の２種類である。左右の分割印影の照合は、ステップＳ３０２と同じ方法で行う。左同士、右同士の照合は、照合対象である２つの分割印影画像に含まれている分割印影２００Ｒ、２００Ｌが互いに同一であるとみなすことができるか否かを判定するものであり、たとえば、公知のテンプレートマッチング手法を用いる。このステップＳ３０６で行っている照合は、分割印影の全体を照合する全体照合である。
【００９１】
ステップＳ３０７では、ステップＳ３０６で実行した全体照合の結果が、照合ＯＫであったか否かを判断する。全ての照合がＯＫになった場合を照合ＯＫとする。ステップＳ３０７の判断結果がＹＥＳであれば、ステップＳ３０９に進み、判定結果を○、すなわち、撮像した書類は真正のものであるとする。ステップＳ３０７の判断結果がＮＯであれば、ステップＳ３０８に進む。
【００９２】
ステップＳ３０８では、部分照合を行い、その部分照合がＯＫか否かを判断する。部分照合では、ステップＳ３０５で取得した登録済み分割印影画像のうち、紙辺側を一部除外し、除外後の登録済み分割印影画像と、ステップＳ２８で保存した分割印影画像とを、紙辺とは反対側の端を基点として照合する。分割印影画像の一部を除外して照合を行う以外は、照合の内容は全体照合と同じである。
【００９３】
分割印影２００Ｒ、２００Ｌは、いずれも、書類Ｒ１、Ｒ２の一辺にその端が位置する。書類Ｒ１、Ｒ２の辺は、書類Ｒ１、Ｒ２に印影２００が押印された後の使用により、破損、欠落の可能性もある。したがって、照合処理時に、分割印影２００Ｒ、２００Ｌの紙辺側の端が欠落している可能性もある。そこで、このステップＳ３０８において部分照合を行うのである。登録済み画像から紙辺側の一部を除外する程度は、予め設定した一定比率でもよいし、複数比率を用意しておき、除外する程度が小さい比率から順番に部分照合を行ってもよい。
【００９４】
部分照合ＯＫと判断した場合（Ｓ３０８：ＹＥＳ）にもステップＳ３０９に進み、判定結果を○とする。部分照合もＯＫでないと判断した場合には（Ｓ３０８：ＮＯ）、ステップＳ３０４に進み、判定結果を×とする。
【００９５】
次に、ステップＳ３０１の判断結果がＮＯであった場合を説明する。ステップＳ３０１がＮＯになる代表的なケースは、書類Ｒ１、Ｒ２が一方しかない場合である。ステップＳ３０１の判断結果がＮＯである場合にはステップＳ３１０に進む。
【００９６】
ステップＳ３１０では、ステップＳ３０５と同様に、登録済みの分割印影画像をホストコンピュータ３００から取得する。したがって、印影画像取得要求信号を関連付けデータｄ３１とともに、ホストコンピュータ３００に送信する。このステップＳ３１０を実行するのは、データが連結できていない場合であるので、取得できている関連付けデータｄ３１は１つのみである。
【００９７】
ホストコンピュータ３００は、光学情報読み取り装置１０から送信された関連付けデータｄ３１に基づいて分割印影画像を特定する。特定する分割印影画像は、関連付けデータｄ３１を格納した分割ＱＲコード１００Ｒ、１００Ｌとともに、同じ書類Ｒ１、Ｒ２に表された分割印影２００Ｒ、２００Ｌ、および、その分割印影２００Ｒ、２００Ｌとともに登録された他の分割印影２００Ｌ、２００Ｒである。そして、ホストコンピュータ３００は、特定した分割印影画像を光学情報読み取り装置１０に送信する。光学情報読み取り装置１０はホストコンピュータ３００から送信された分割印影画像を取得する。この分割印影画像も２種類の照合に用いられ、ステップＳ３１０は、請求項の第２印影取得部、照合用第１印影取得部に相当する。
【００９８】
ステップＳ３１１では、ステップＳ３１０で取得した分割印影画像と、ステップＳ２８で保存した分割印影画像とを照合する。１つの分割印影画像を照合対象とする点ではステップＳ３０６と異なるが、照合の方法はステップＳ３０６と同じであり、このステップＳ３１１で行う照合も、分割印影画像全体の照合である。
【００９９】
ステップＳ３１２では、ステップＳ３１１で実行した全体照合の結果が、照合ＯＫであったか否かを判断する。判断結果がＹＥＳであれば、ステップＳ３１４に進み、判定結果を○とする。ステップＳ３１２の判断結果がＮＯであれば、ステップＳ３１３に進む。
【０１００】
ステップＳ３１３では、部分照合を行い、その部分照合がＯＫか否かを判断する。このステップＳ３１３では１つの分割印影画像を照合対象とする。この点以外は、ステップＳ３１３の処理はステップＳ３０８と同じである。
【０１０１】
部分照合ＯＫと判断した場合（Ｓ３１３：ＹＥＳ）にもステップＳ３１４に進み、判定結果を○とする。部分照合もＯＫでないと判断した場合には（Ｓ３１３：ＮＯ）、ステップＳ３０４に進み、判定結果を×とする。なお、図６において、ステップＳ３０２、Ｓ３０３、Ｓ３０６〜Ｓ３０８、Ｓ３１１〜Ｓ３１３は、請求項の印影判定部に相当する。
【０１０２】
ステップＳ３０４、Ｓ３０９、Ｓ３１４のいずれかを実行したら、図５のステップＳ３１に進む。ステップＳ３１では、ステップＳ３０で行った判定処理の結果を、液晶表示器４６に表示する。
【０１０３】
続くステップＳ３２では、メモリ３５に保存していた画像データや復号したデータを消去する。
【０１０４】
＜実施形態の効果＞
以上、説明した実施形態によれば、書類Ｒ１、Ｒ２に分割して表された分割印影画像が整合するかどうかを判定する（Ｓ３０２、Ｓ３０３、Ｓ３０６〜Ｓ３０８、Ｓ３１１〜Ｓ３１３）。加えて、整合するかを判定する分割印影画像は、デコードした分割ＱＲコード１００Ｒ、１００Ｌに対応させて取得したものであるため、分割ＱＲコード１００Ｒ、１００Ｌ間の対応も判定していることになる。
【０１０５】
具体的には、ステップＳ３０２で対比する分割印影画像は、データが連結できた場合であるので、分割ＱＲコード１００Ｒ、１００Ｌは互いに対応していることになる。分割印影画像は、それら互いに対応している分割ＱＲコード１００Ｒ、１００Ｌの位置に基づいて取得しているので、分割印影画像は、分割ＱＲコード１００Ｒ、１００Ｌに対応させて取得したものである。
【０１０６】
また、登録済みの分割印影画像を取得する場合には（Ｓ３０５、Ｓ３１０）、デコードしたデータに含まれていた関連付けデータｄ３１に基づいて、取得する登録済み分割印影画像が定まるので、関連付けデータｄ３１が対応していることになる。すなわち、本実施形態では、分割ＱＲコード１００Ｒ、１００Ｌが対応していることの確認と、分割印影の整合とを判定していることになるので、従来よりも、高い精度で書類Ｒ１、Ｒ２の関連性を判定することができる。
【０１０７】
また、本実施形態で２つの書類Ｒ１、Ｒ２の関連性を判定できるのは、それら２つの書類を撮像できる場合に限られない。書類Ｒ１、Ｒ２のうちの一方のみであっても、関連付けデータｄ３１に基づいて、他方の書類に表されていた登録済みの分割印影画像を取得する（Ｓ３１０）。したがって、書類Ｒ１、Ｒ２のうちの一方の書類がなくても、撮像した書類と、他方の書類との関連性を判定することができる。
【０１０８】
また、本実施形態では、各書類Ｒ１、Ｒ２に分割ＱＲコード１００Ｒ、１００Ｌが印刷されている。そして、２つの書類Ｒ１、Ｒ２が撮像できた場合には、分割ＱＲコード１００Ｒ、１００Ｌのデータが連結できたかも判断する（Ｓ３０１）。したがって、書類Ｒ１、Ｒ２の関連性を判定する精度がさらに向上する。
【０１０９】
さらに、分割印影画像の照合として、左右の分割印影の照合と、左の分割印影同士、右の分割印影同士の照合の２種類を行っている（Ｓ３０６、Ｓ３１１）。このように、２種類の照合を行うので、２つの書類Ｒ１、Ｒ２の関連性を判定する精度がさらに向上する。
【０１１０】
また、左の分割印影同士、右の分割印影同士の照合は、分割印影画像の全体としての照合がＯＫでなくても、一部を除外した部分照合がＯＫであれば、照合ＯＫであるとしている（Ｓ３０８、Ｓ３１３）。この部分照合を行うことで、撮像画像から取得した分割印影画像に、辺に近い部分の破損があっても、ホストコンピュータ３００から取得した分割印影画像と、撮像画像から取得した分割印影画像が整合しているかを、精度よく判定することができる。
【０１１１】
また、本実施形態では、復号したデータにサイン取り込みインジケータｄ１１が含まれていない場合には（Ｓ２３：ＮＯ）、分割印影画像を取得する処理を行わない。したがって、印影の判定が必要ないときにまで、分割印影画像を取得するための処理を行ってしまうことを防止できる。
【０１１２】
また、本実施形態では、分割ＱＲコード１００Ｒ、１００Ｌは不可視インクで印刷されており、分割印影画像を撮像するときには、分割ＱＲコード１００Ｒ、１００Ｌは撮像されない。よって、分割ＱＲコード１００Ｒ、１００Ｌにより分割印影２００Ｒ、２００Ｌが分かりにくくなってしまうことが抑制できる。
【０１１３】
しかも、分割ＱＲコード１００Ｒ、１００Ｌは、分割印影２００Ｒ、２００Ｌと重なる位置に印刷されていることから、紫外光を照射していない状態でも、分割ＱＲコード１００Ｒ、１００Ｌがどこに印刷されているかが分かりやすい。そのため、分割ＱＲコード１００Ｒ、１００Ｌがエリアセンサ２３の撮像範囲に入るようにその撮像範囲を調整することも容易になる。
【０１１４】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【０１１５】
＜変形例１＞
前述の実施形態では、書類は２つであったが、３つ以上であってもよい。また、書類は、切り離す前は１つであり、切り離すことにより複数になる書類でもよい。したがって、入場時に切り離され、半券が残る入場券などにも本発明は適用できる。
【０１１６】
＜変形例２〜４＞
たとえば、前述の実施形態では、外見上は一体のＱＲコード１００である分割ＱＲコード１００Ｒ、１００Ｌが２つの書類にまたがって印刷されていたが、これに限られない。外見上も、独立している分割コードがそれぞれの書類に印刷されていてもよい（変形例２）。もちろんこの場合には、各分割コードは各書類に印刷され、複数の書類にまたがって印刷しない。また、外見と同じく、１つのＱＲコードが複数の書類にまたがって印刷されていてもよい（変形例３）。また、ＱＲコードに代えて、それ以外の情報コードを用いてもよい（変形例４）。
【０１１７】
＜変形例５＞
また、前述の実施形態において、分割ＱＲコード１００Ｒ、１００Ｌの間に、隙間が形成されるように、それら分割ＱＲコード１００Ｒ、１００Ｌを、各書類Ｒ１、Ｒ２に印刷してもよい。このようにすれば、前述した入場券など、切り離すことによる複数になる書類に本発明を適用した場合にも、切り離し時に、分割ＱＲコード１００Ｒ、１００Ｌが破損しにくい。
【０１１８】
＜変形例６＞
前述の実施形態では、ＱＲコード１００は不可視インクで印刷されていたが、自然光により視認可能なインクで印刷されていてもよい。また、印影２００も朱インク以外のインクで表されていてもよい。
【０１１９】
＜変形例７＞
前述の実施形態では、照合を、光学情報読み取り装置１０でおこなっていたが、これをホストコンピュータ３００で行い、照合結果を光学情報読み取り装置１０が取得するようにしてもよい。また、分割印影を光学情報読み取り装置１０内の記憶部に記憶し、照合も、光学情報読み取り装置１０で行うようにしてもよい。
【０１２０】
＜変形例８、９＞
また、前述の実施形態では、ステップＳ３０３、Ｓ３０６において、それぞれ、左右の分割印影の照合を行っていたが、いずれか一方を省略してもよい（変形例８）。また、ステップＳ３０６、Ｓ３１１における左の分割印影同士、右の分割印影同士の照合を省略してもよい（変形例９）。
【符号の説明】
【０１２１】
１０：光学情報読み取り装置、      ２０：回路部、      ２１：発光ダイオード、      ２３：エリアセンサ、      ２３ａ：受光面、      ２７：結像レンズ、      ３１：増幅回路、      ３３：Ａ／Ｄ変換回路、      ３５：メモリ、      ３６：アドレス発生回路、      ３８：同期信号発生回路、      ４０：制御回路、      ４１：電源スイッチ、      ４２：操作スイッチ、      ４３：ＬＥＤ、      ４４：ブザー、      ４６：液晶表示器、      ４７：無線通信部、      ４８：通信インタフェース、      ４９：電池、      ６０：マーカ光投射器、      １００：ＱＲコード、      １００Ｌ：分割ＱＲコード、      １００Ｒ：分割ＱＲコード、      ２００：印影、      ２００Ｌ：分割印影、      ２００Ｒ：分割印影、      ３００ホストコンピュータ、      ３１０：無線通信部、      ３２０：記憶部、      Ｒ１：書類、      Ｒ２：書類
【図１】
2015219646.tif 000003
【図２】
2015219646.tif 000004
【図３】
2015219646.tif 000005
【図４】
2015219646.tif 000006
【図５】
2015219646.tif 000007
【図６】
2015219646.tif 000008